(57)【特許請求の範囲】
【請求項１】
エレベータの綱車のロープ溝から外れるロープがマイクロスイッチを介して支持される検出板を移動することにより上記マイクロスイッチがＯＮするエレベータロープ外れ検出装置において、上記マイクロスイッチがＯＮするとき、上記綱車に近傍して設けられ、電池から電源が供給されることで点灯するライトを備え、
上記ライトは上記マイクロスイッチがＯＦＦし且つ復帰スイッチが押下されるときまで点灯し続ける
ことを特徴とするエレベータロープ外れ検出装置。
【請求項２】
請求項１に記載のエレベータロープ外れ検出装置のマイクロスイッチがＯＮし且つ地震時管制運転装置により地震時管制運転が完了したときにエレベータの運転を停止するエレベータ制御装置。
【発明の詳細な説明】
【技術分野】
【０００１】
この発明は、エレベータのロープが綱車のロープ溝から外れることを検出するエレベータロープ外れ検出装置およびエレベータ制御装置に関するものである。
【背景技術】
【０００２】
従来のエレベータの安全装置は、エレベータ巻上機の綱車またはソラセ綱車の近傍部に設けられるロープ外れ止め防止装置と、ロープ外れ止め防止装置の変位を検知する検出装置とを備え、検出装置はロープ外れ止め防止装置の変位を一定時間検知するとエレベータを停止する構成である（例えば、特許文献１参照）。
【先行技術文献】
【特許文献】
【０００３】
【特許文献１】特開２００９−２０３００７号公報
【発明の概要】
【発明が解決しようとする課題】
【０００４】
しかし、上述のロープ外れ止め防止装置によりロープ外れを検出してもロープがいずれの綱車から外れているのか確認するのに時間が掛るという問題がある。巻上げ機でのロープ外れは容易に確認することが可能であるが、昇降路内でのロープ外れはかごを階床まで移動しなければならないために時間が掛かるという問題がある。
【０００５】
この発明は、前記のような課題を解決するためになされたものであり、エレベータのロープが外れた綱車を容易に確認し得るエレベータロープ外れ検出装置を得ることを目的とする。
【課題を解決するための手段】
【０００６】
この発明に係るエレベータロープ外れ検出装置は、エレベータの綱車から外れるロープが外れ止めにマイクロスイッチを介して支持される検出板を移動することにより上記マイクロスイッチがＯＮするエレベータロープ外れ検出装置において、上記マイクロスイッチがＯＮするとき、上記綱車に近傍して設けられ、電池から電源が供給されることで点灯するライトを備え、上記ライトは上記マイクロスイッチがＯＦＦし且つ復帰スイッチが押下されるときまで点灯し続ける。
【発明の効果】
【０００７】
この発明に係るエレベータロープ外れ検出装置は、ロープが綱車のロープ溝から外れたことを検出したときにロープがロープ溝から外れた綱車の近くにロープがロープ溝に戻されるまでライトが点灯しているので、ロープがロープ溝から外れた綱車を昇降路内であっても容易に確認することができるという効果を奏する。
【図面の簡単な説明】
【０００８】
【図１】この発明の実施の形態に係るエレベータロープ外れ検出装置を設けた綱車の部分断面図である。
【図２】エレベータロープ外れ検出装置の制御部により実行されるプログラムである。
【図３】この発明の実施の形態に係るエレベータ制御装置により実行されるプログラムである。
【発明を実施するための形態】
【０００９】
以下、この発明に係るエレベータロープ外れ検出装置の好適な実施の形態につき主ロープの外れを例として図面を用いて説明する。
図１は、この発明の実施の形態に係るエレベータロープ外れ検出装置を設けた綱車の部分断面図である。図２は、エレベータロープ外れ検出装置の制御部により実行されるプログラムである。図３は、この発明の実施の形態に係るエレベータ制御装置により実行されるプログラムである。
この発明に係る巻上げ機の綱車１は、円盤であり、円盤の中央に図示しない軸受が設けられ、円盤の外周側面１ａに主ロープ２を案内する複数のロープ溝３が並行して掘られている。この軸受には、巻上げ機の駆動モータの駆動軸が挿入されて結合されている。そして、駆動モータが駆動することにより綱車１が主ロープ２を走行する。
【００１０】
この発明に係る巻上げ機の綱車１を包むように外側には、両方の端面に底が設けられた円筒からなる外れ止め４が配置されている。一方、主ロープ２は地震のときに長周期振動に共振して大きく揺れて綱車１の外周側面１ａに設けられたロープ溝３から外れる可能性が大きい。このようにロープ溝３から外れた主ロープ２は、何も無ければ綱車１から離れてしまい復帰するための時間が掛かる。ところが、外れ止め４を配置すると、主ロープ２が外周側面１ａのロープ溝３の間の土手まで乗り上げるだけで、外周側面１ａから端面１ｂまでは外れない。
【００１１】
この発明の実施の形態に係るエレベータロープ外れ検出装置は、主ロープ２が巻回される綱車１の外周側面１ａから所定の距離だけ離間する平板の検出板５と、検出板５に固定された支持棒５ａを綱車１の径方向に移動可能に支持するとともに支持棒５ａが綱車１の径方向に所定の距離移動したときＯＮ信号を発するマイクロスイッチ６と、マイクロスイッチ６がＯＮ信号を発したとき点灯するライト７と、ライト７に直列に接続される電池８と、ライト７を消灯する復帰スイッチ９と、ロープ外れ検出装置を制御する制御部１０と、を備える。
【００１２】
この制御部１０は、マイクロスイッチ６がＯＮ信号を発したときＯＮするＭＳＷ接点１１と、ライト７を消灯する復帰スイッチ９がＯＦＦされるときＯＦＦになるＬＳＷ接点１２と、ライト７の回路を開閉するライトリレーのリレーコイル１３と、が直列に接続され、ＭＳＷ接点１１と並列にライトリレーのＡメイク接点１４が接続されている。ＬＳＷ接点１２は通常ＯＮしており、ＭＳＷ接点１１がＯＮすると、リレーコイル１３がピックアップしてライト７が点灯する。そして、リレーコイル１３がピックアップするのでメイク接点１４がＯＮし、自己保持している。
そして、主ロープ２を綱車１のロープ溝３に戻して復旧するとＭＳＷ接点１１がＯＦＦするので、ライト７を消灯する復帰スイッチ９をＯＦＦするとリレーコイル１３が戻りメイク接点１４がＯＦＦしてライト７が消灯する。
【００１３】
この発明の実施の形態に係るエレベータ制御装置では、地震時管制運転装置のＥＥＲ接点２１、リレーコイル１３のＢメイク接点２２、復帰スイッチ９のＣメイク接点２４と停止指令用ＤＣリレーのＤＣコイル２３がＡＮＤ接続されている。また、停止指令用ＤＣリレーのＤメイク接点２５がＥＥＲ接点２１とリレーコイル１３のＢメイク接点２２に対して並列に接続されている。
そして、ＥＥＲ接点２１とＢメイク接点２２が共にＯＮしたときだけエレベータを停止する指令を出力する停止指令用ＤＣリレーのＤＣコイル２３がピックアップしてエレベータ停止指令を出力する。また、主ロープ２の外れを復旧したときに入力される復帰スイッチ９のＣメイク接点２４がＯＦＦになったときエレベータ停止指令を中止する。
このように、地震による被害の確認が完了した後でも主ロープ２の綱車１からの外れを直して復帰スイッチ９を押下しないかぎり復帰させない限りＤＣコイル２３がピックアップしているので、エレベータを運行できない。
【００１４】
ライト７は、マイクロスイッチ６がＯＮになるとリレーコイル１３がピックアップして、直列に接続された電池８とライト７がつながり、ライト７に電池８から電流が流れて点灯する。そして、制御部１０は復帰スイッチ９を押下しない限りライト７を点灯し続ける。
【００１５】
主ロープ２が綱車１のロープ溝３に正しく入って走行しているときには、主ロープ２と検出板５との間に隙間が存在する。このときにはマイクロスイッチ６がＯＦＦであり、ライト７が消灯している。
他方、主ロープ２が綱車１のロープ溝３から跳びだしてロープ溝３の間の土手に乗り上げたときは、主ロープ２が検出板５を綱車１の径方向に押し上げる。すると、検出板５が綱車１の径方向に移動しマイクロスイッチ６をＯＮする。
【００１６】
主ロープ２が綱車１のロープ溝３から外れるのは主ロープ２が地震などの時の長周期振動により大きく揺れるためであり、そのようなときには停電にも成りやすい。しかし、ライト７は電池８から電源が供給されているので、エレベータ全体が停電してもライト７は点灯し続ける。
【００１７】
この発明の実施の形態に係るエレベータロープ外れ検出装置は、主ロープ２が綱車１のロープ溝３から外れたことを検出したときに主ロープ２がロープ溝３から外れた綱車１の近くに主ロープ２がロープ溝３に戻されるまでライト７が点灯しているので、主ロープ２がロープ溝３から外れた綱車１を昇降路内であっても容易に確認することができる。
【００１８】
また、地震時管制運転装置からのＥＥＲ接点に対して直列にロープ外れ検出装置の接点を入れたので、地震時管制運転装置により乗りかごを最寄階に運転し乗客を乗りかごから降車させてからエレベータの運転を停止することにより閉じ込めを防止できるという効果を奏する。
【００１９】
なお、本実施例では、主ロープ２を例に説明したが、調速機ロープ、吊り合いロープの外れを検出することに適用できることは言うまでもない。
【符号の説明】
【００２０】
１  綱車、１ａ  （綱車の）外周側面、１ｂ  （綱車の）端面、２  主ロープ、３  ロープ溝、４  外れ止め、５  検出板、５ａ  支持棒、６  マイクロスイッチ、７  ライト、８  電池、９  復帰スイッチ、１０  制御部、１１  ＭＳＷ接点、１２  ＬＳＷ接点、１３  リレーコイル、１４  Ａメイク接点、２１  ＥＥＲ接点、２２  Ｂメイク接点、２３  ＤＣコイル、２４  Ｃメイク接点、２５  Ｄメイク接点。
【図１】
0005571396.tif 000002
【図２】
0005571396.tif 000003
【図３】
0005571396.tif 000004